(57)【要約】      （修正有）【課題】プリンターの単純化および小型化さらにはコスト低減を可能とし、使用態様を多様化可能であり、値下げ用ラベルやリストバンドなど、必要に応じて融通性のある活用が可能な熱活性ラベルおよび熱活性ラベル用プリンターを提供する。【解決手段】熱発色あるいは熱転写による印字を可能とした熱活性ラベル３１において、サーマルプリントによるプリント領域３２と、熱活性粘着剤を塗布する粘着剤領域３３と、を熱活性ラベル３１の同一面（表面）側に設けて加熱可能とすることに着目したもので、ラベル基材９の表面に熱活性粘着剤を塗布して粘着剤領域３３とするとともに、ラベル基材９の表面における粘着剤領域３３以外の領域をプリント領域３２として、プリント領域３２にサーマルプリント。【選択図】図３
2008152172.tif 000002
【特許請求の範囲】
【請求項１】
そのラベル基材に熱活性粘着剤を塗布してあるとともに、サーマルプリントを行うことができる熱活性ラベルであって、
前記ラベル基材の表面に前記熱活性粘着剤を塗布して粘着剤領域とするとともに、
前記ラベル基材のこの表面におけるこの粘着剤領域以外の領域をプリント領域としてこのプリント領域に前記サーマルプリントを行うことを特徴とする熱活性ラベル。
【請求項２】
前記粘着剤領域および前記プリント領域は、前記ラベル基材の前記表面をそれぞれ所定面積にわたって分割していることを特徴とする請求項１記載の熱活性ラベル。
【請求項３】
前記粘着剤領域および前記プリント領域は、前記ラベル基材の前記表面にそれぞれ所定割合で分散していることを特徴とする請求項１記載の熱活性ラベル。
【請求項４】
前記粘着剤領域および前記プリント領域の間の境界線部分で前記ラベル基材を折り返し可能としていることを特徴とする請求項１記載の熱活性ラベル。
【請求項５】
前記粘着剤領域は、前記ラベル基材の一方の端部にこれを設け、前記熱活性粘着剤の熱活性後に他方の端部の裏面に貼り付け可能としていることを特徴とする請求項１記載の熱活性ラベル。
【請求項６】
前記粘着剤領域は、前記プリント領域をその両側から挟むように二ヶ所に分かれていることを特徴とする請求項１記載の熱活性ラベル。
【請求項７】
そのラベル基材に熱活性粘着剤を塗布してあるとともに、サーマルプリントを行うことができる熱活性ラベルを装填する熱活性ラベル用プリンターであって、
前記熱活性ラベルは、前記ラベル基材の表面に前記熱活性粘着剤を塗布して粘着剤領域とするとともに、前記ラベル基材のこの表面におけるこの粘着剤領域以外の領域をプリント領域として画成してあり、
このプリント領域において前記サーマルプリントを行うためのプリント用ヘッドと、
前記粘着剤領域において前記熱活性粘着剤を熱活性させるための粘着剤熱活性用ヘッドと、をともに、前記ラベル基材の前記表面側に設けたことを特徴とする熱活性ラベル用プリンター。
【発明の詳細な説明】
【技術分野】
【０００１】
本発明は熱活性ラベルおよび熱活性ラベル用プリンターにかかるもので、とくにラベル基材の同じ表面側に熱活性粘着剤層およびプリント層を有する熱活性ラベルおよび熱活性ラベル用プリンターに関するものである。
【背景技術】
【０００２】
従来の熱活性ラベルおよび熱活性ラベル用プリンターについて図２３ないし図２６にもとづき概説する。
図２３は、熱活性ラベル用プリンター１の概略側面図であって、熱活性ラベル用プリンター１は、用紙供給部２と、検出部３と、印字部４と、熱活性部５と、必要に応じて切断部６と、制御部７と、を有する。
【０００３】
用紙供給部２は、熱活性ラベル８をロール状に保持するとともに、検出部３、印字部４および熱活性部５方向に帯状に繰り出し可能とする。
【０００４】
図２４は、熱活性ラベル８の平面図、図２５は、同、縦断面図であって、熱活性ラベル８は、その帯状のラベル基材９の表面側に熱発色剤を塗布して熱発色剤層１０を形成するとともに、その裏面に熱活性粘着剤を塗布して熱活性粘着剤層１１を形成してある。
したがって、熱活性ラベル８は、常温では粘着性を有さず、貼付けの直前に熱活性粘着剤層１１の領域を所定温度に加熱することにより、活性化（粘着化）させて、所定の部位ないし商品や物品に貼り付け可能としている。
【０００５】
検出部３は、位置センサー１２を有し、熱活性ラベル８の位置を検出して、制御部７に出力する。
なお、熱活性ラベル８の裏面には位置検出用マーク１３をあらかじめ印刷しておき、位置センサー１２によりこれを検出可能とすることもできるし、熱活性ラベル８に形成した位置検出用切欠き部（図示せず）を検出可能とすることもできる。
【０００６】
印字部４は、熱活性ラベル８の表面側に位置するサーマルヘッド１４および裏面側に位置するプラテンローラー１５を有し、これらの間に熱活性ラベル８を挟持して、プラテンローラー１５を回転駆動して熱活性ラベル８を移送するとともに、サーマルヘッド１４の幅方向に並べた多数の発熱素子１６からの印字信号にもとづき熱発色剤層１０の所定部位を熱発色させて所定の情報を熱印字（サーマルプリント）可能とする。
なお、プラテンローラー１５の表面には、シリコーン剤などにより剥離性を有するコーティングを施しておくことが望ましい。
【０００７】
図２６は、他のタイプの熱活性ラベル１７の縦断面図であって、熱活性ラベル１７では、ラベル基材９の裏面に熱活性粘着剤を塗布して熱活性粘着剤層１１を形成してあるとともに、その表面に前記熱発色剤層１０を塗布せず、その代わりに、熱活性ラベル用プリンター１に装填する熱転写リボン１８（図２３および図２６の仮想線を参照）を用いることにより、ラベル基材９の表面側に熱転写リボン１８のインキを熱転写させ、サーマルプリントを可能としている。
【０００８】
熱活性部５は、熱活性ラベル８の裏面側（熱活性粘着剤層１１側）に位置する粘着剤熱活性用ヘッド１９（サーマルヘッド）、および表面側（熱発色剤層１０側）に位置する挟持ローラー２０を有し、これらの間に熱活性ラベル８を挟持して、挟時ローラー２０を回転駆動して熱活性ラベル８を移送するとともに、熱活性粘着剤層１１に対向して面的に配置した発熱プレート２１からの加熱作用によって熱活性粘着剤層１１の熱活性粘着剤を熱活性化し、貼付け能力を発揮させて、所定の物品ないし商品に貼り付け可能とする。
【０００９】
切断部６は、熱活性ラベル８のタイプによって必要に応じてこれを設けることができ、所定のタイミングで切断刃２２を駆動して、熱活性ラベル８を所定の大きさに切断可能である。
なお、熱活性ラベル８などにあらかじめミシン目などの切込み部を形成しておけば、切断部５を設ける必要はない。
【００１０】
制御部７は、上述の各部（検出部３、印字部４、熱活性部５、切断部６）を制御するもので、必要なタイミングで、印字部４（サーマルヘッド１４）への印字信号の供給、および熱活性部５（粘着剤熱活性用ヘッド１９）への熱エネルギーの供給を行う。
【００１１】
こうした構成の熱活性ラベル用プリンター１および熱活性ラベル８において、印字部４における熱活性ラベル８の熱発色剤層１０への印字、さらには、熱活性部５における熱活性ラベル８の熱活性粘着剤層１１への加熱を行うために、熱活性ラベル８の表面側にサーマルヘッド１４および裏面側に粘着剤熱活性用ヘッド１９をそれぞれ必要とし、熱活性ラベル用プリンター１としては、その構造が複雑化および大型化するとともに、コスト高になることは避けられないという問題がある。
【００１２】
また、熱活性ラベル８の表面および裏面にそれぞれ印字面および粘着面が形成されることになるため、熱活性ラベル８の使用態様としても限定される場合があり、商品の価格表示や販売促進用の表示用として、必要に応じた融通性に欠けるという問題がある。
【００１３】
【特許文献１】特開２００４−１３６９７２号公報
【発明の開示】
【発明が解決しようとする課題】
【００１４】
本発明は以上のような諸問題にかんがみなされたもので、熱活性ラベル用プリンター自体の構造を簡略化可能な熱活性ラベルおよび熱活性ラベル用プリンターを提供することを課題とする。
【００１５】
また本発明は、熱活性ラベルへの印字および加熱を行うためのサーマルヘッドの数を単一として、プリンターの単純化および小型化さらにはコスト低減を可能とした熱活性ラベルおよび熱活性ラベル用プリンターを提供することを課題とする。
【００１６】
また本発明は、単一のサーマルヘッドによる熱活性ラベルの印字（サーマルプリント）および熱活性粘着剤層の熱活性化を可能とした熱活性ラベルおよび熱活性ラベル用プリンターを提供することを課題とする。
【００１７】
また本発明は、熱活性ラベルの構成ないし使用態様に応じてサーマルヘッドを一対設けても、プリンターの構造を単純化可能な熱活性ラベルおよび熱活性ラベル用プリンターを提供することを課題とする。
【００１８】
また本発明は、使用態様を多様化可能であり、値下げ用ラベル、リストバンド、植木用ラベル、ＰＯＰその他の広告表示ラベル、立体的な表示が可能なラベル、さらには、販売促進シートの結合機能付きラベル、また、透明なガラスの裏面への貼付けも可能なラベルなど、必要に応じて融通性のある活用が可能な熱活性ラベルおよび熱活性ラベル用プリンターを提供することを課題とする。
【課題を解決するための手段】
【００１９】
すなわち本発明は、熱発色剤層を塗布した熱活性ラベル、あるいは熱転写リボンによる印字を可能とした熱活性ラベルにおいて、サーマルプリントによるプリント領域と、熱活性粘着剤を塗布する粘着剤領域と、を熱活性ラベルの同一面（表面）側に設けること、これらの領域を単一のサーマルヘッドで加熱可能とすることに着目したもので、第一の発明は、そのラベル基材に熱活性粘着剤を塗布してあるとともに、サーマルプリントを行うことができる熱活性ラベルであって、上記ラベル基材の表面に上記熱活性粘着剤を塗布して粘着剤領域とするとともに、上記ラベル基材のこの表面におけるこの粘着剤領域以外の領域をプリント領域としてこのプリント領域に上記サーマルプリントを行うことを特徴とする熱活性ラベルである。
【００２０】
第二の発明は、そのラベル基材に熱活性粘着剤を塗布してあるとともに、サーマルプリントを行うことができる熱活性ラベルを装填する熱活性ラベル用プリンターであって、上記熱活性ラベルは、上記ラベル基材の表面に上記熱活性粘着剤を塗布して粘着剤領域とするとともに、上記ラベル基材のこの表面におけるこの粘着剤領域以外の領域をプリント領域として画成してあり、このプリント領域において上記サーマルプリントを行うためのプリント用ヘッドと、上記粘着剤領域において上記熱活性粘着剤を熱活性させるための粘着剤熱活性用ヘッドと、をともに、上記ラベル基材の上記表面側に設けたことを特徴とする熱活性ラベル用プリンターである。
【００２１】
上記粘着剤領域および上記プリント領域は、上記ラベル基材の上記表面をそれぞれ所定面積にわたって分割していることができる。
【００２２】
上記粘着剤領域および上記プリント領域は、上記ラベル基材の上記表面にそれぞれ所定割合で分散していることができる。
【００２３】
上記粘着剤領域および上記プリント領域の間の境界線部分で上記ラベル基材を折り返し可能としていることができる。
【００２４】
上記粘着剤領域は、上記ラベル基材の一方の端部にこれを設け、上記熱活性粘着剤の熱活性後に他方の端部の裏面に貼り付け可能としていることができる。
【００２５】
上記粘着剤領域は、上記プリント領域をその両側から挟むように二ヶ所に分かれていることができる。
【００２６】
上記プリント領域および上記粘着剤領域の形成パターンについては、値下げ用ラベルやリストバンドなど、それぞれの用途に応じて、そのレイアウトを自由に設計可能である。
【００２７】
なお一般に、プリント領域におけるサーマルプリントに必要な熱量（印字エネルギー）は、２５ｍＪ／ｍｍ２程度（発熱温度は１００℃前後）、粘着剤領域における熱活性に必要な熱量（熱活性エネルギー）は、２０ｍＪ／ｍｍ２程度（発熱温度は８０〜９０℃）であり、単一のサーマルヘッドによってプリント領域におけるサーマルプリントおよび粘着剤領域における熱活性粘着剤の熱活性化を実行可能である。
【発明の効果】
【００２８】
本発明による熱活性ラベルおよび熱活性ラベル用プリンターにおいては、サーマルプリントによるプリント領域と、熱活性粘着剤を塗布する粘着剤領域と、を熱活性ラベルの同一面（表面）側に設けるとともに、これらの領域を単一のサーマルヘッドで加熱可能とすることとしたので、従来の熱活性ラベル用プリンターのように、加熱専用のヘッド（粘着剤熱活性用ヘッドないしその挟時ローラー）を必要とせず、従来の印字用の熱活性ラベル用プリンターにおけるサーマルヘッドのみで、印字および加熱を行うように制御することができ、熱活性ラベル用プリンター全体の単純化および小型化を可能とし、コストの低減を期待することができる。
【００２９】
とくに第一の発明によれば、サーマルプリントによるプリント領域と、熱活性粘着剤を塗布する粘着剤領域と、を熱活性ラベルの同一面側に設けたので、単一のサーマルヘッドのみで印字および熱活性化が可能であるとともに、必要に応じて、プリント領域および粘着剤領域のパターンを設計して、値下げ用ラベルやＰＯＰ広告などを作成可能である。
【００３０】
とくに第二の発明によれば、熱活性ラベルの使用態様によってプリント領域用と粘着剤領域用と、に分けてサーマルヘッドを準備することになるが、それぞれのサーマルヘッドを熱活性ラベルの同一面側に位置させることが可能となり、熱活性ラベル用プリンター設計の自由度を増し、かつ、構造の単純化が可能であるとともに、プリント領域および粘着剤領域の必要加熱エネルギーが異なっても対応可能である。
【発明を実施するための最良の形態】
【００３１】
本発明は、熱活性ラベルの同一面側にプリント領域および粘着剤領域を設けるようにしたので、プリンターの小型化を可能とし、また熱活性ラベルの使用態様を多様化可能であるとともに、コストダウンも可能な熱活性ラベルおよび熱活性ラベル用プリンターを実現した。
【実施例】
【００３２】
つぎに本発明（第一の発明）の第１の実施例による熱活性ラベルおよびこの熱活性ラベルを装填する熱活性ラベル用プリンターを図１ないし図６にもとづき説明する。ただし、図２３ないし図２６と同様の部分には同一符号を付し、その詳述はこれを省略する。
図１は、熱活性ラベル用プリンター３０の概略側面図であって、熱活性ラベル用プリンター３０は、前述した用紙供給部２、検出部３、印字部４、必要に応じて切断部６および制御部７を有し、前記熱活性部５（図２３）は不要である。すなわち、熱活性ラベル用プリンター３０としては、従来の熱発色型や熱転写型などの単純なサーマルプリントが可能なサーマルプリンターを採用可能である。
【００３３】
上記印字部４は、制御部７からの必要なタイミングによる印字信号および熱活性エネルギーの制御供給により、そのサーマルヘッド１４によって、熱活性ラベル３１への印字および加熱作用を行うものである。
【００３４】
図２は、上記熱活性ラベル３１の平面図、図３は、同、縦断面図であって、熱活性ラベル３１は、前記ラベル基材９の同一面（表面）側に、熱発色剤を塗布して前記熱発色剤層１０（図２５）に相当するプリント領域３２を塗布形成してあるとともに、このプリント領域３２以外の領域として、熱活性粘着剤を塗布した前記熱活性粘着剤層１１（図２５）に相当する粘着剤領域３３を塗布形成してある。
プリント領域３２および粘着剤領域３３は、ラベル基材９の表面をそれぞれ所定面積にわたって分割しているもので、たとえば、ラベル基材９の上流側における面積の３／４程度の面積をプリント領域３２とするとともに、下流側の１／４程度の面積を粘着剤領域３３としてある。
なお、プリント領域３２あるいは粘着剤領域３３のいずれかを上流側に設けるかについては、粘着剤領域３３における熱活性粘着剤のサーマルヘッド１４の発熱素子１６による加熱からその活性化までの時間差に応じて、適宜設計可能である。
また、プリント領域３２および粘着剤領域３３の面積割合ないし分割度合いについても、熱活性ラベル３１の使用態様に応じて任意に決定可能である。
【００３５】
こうした構成の熱活性ラベル用プリンター３０および熱活性ラベル３１において、熱活性ラベル３１の移送にともなって、印字部４のサーマルヘッド１４がまず熱活性ラベル３１の粘着剤領域３３部分を加熱して熱活性化し、プリント領域３２に所定内容のサーマルプリントを行うことにより、たとえば、値下げ用ラベル３４を作成することができる。
【００３６】
この値下げ用ラベル３４を価格表示タグ３５（価格表示下げ札）に貼り付けることができる。
すなわち図４は、値下げ用ラベル３４の使用状態を示す平面図、図５は、同、側面図であって、価格表示タグ３５の表示価格３６からの値下げの程度を値下げ用ラベル３４により示すことができる。
具体的には、値下げ用ラベル３４の熱活性化して粘着性を有する粘着剤領域３３を価格表示タグ３５の裏面に貼り付けて、プリント領域３２の内容を表示することができる。
【００３７】
本発明による熱活性ラベル３１から作成した値下げ用ラベル３４は、別の使用態様（貼付け態様）を採ることもできる。
たとえば図６は、値下げ用ラベル３４の価格表示タグ３５への別の貼付け方法を示す側面図であって、プリント領域３２および粘着剤領域３３の間の境界線３７部分でラベル基材９を折り返し、粘着剤領域３３により価格表示タグ３５の表示価格３６ないしその一部を覆い隠し、プリント領域３２部分が価格表示タグ３５ないしその表示価格３６の部分から立体的に飛び出したような形態となって、値下げ用ラベル３４による表示を際立たせて、顧客に対するアピール度を向上させることできる。
しかも、熱活性ラベル３１（値下げ用ラベル３４）のみにより、すなわち、他の貼付け用テープなどを用いずに、このような立体的な貼付け態様を採ることができる。
なお、値下げ用ラベル３４を貼り付ける対象が価格表示ラベルであっても、上述と同様にその表面に値下げ用ラベル３４を貼り付けて、必要な値下げ情報を表示可能である。
【００３８】
図７は、本発明の第２の実施例による熱活性ラベル４０の平面図、図８は、同、縦断面図であって、熱活性ラベル４０自体を細長い帯状に形成し、ラベル基材９の一方の端部に粘着剤領域３３を形成し、その他の領域にプリント領域３２を形成し、それぞれ熱活性化および印字を行ったのち、その熱活性粘着剤の熱活性後に粘着剤領域３３を他方の端部の裏面に貼り付け可能としている。
こうした構成の熱活性ラベル４０は、たとえば病院や遊園地などで個人を特定するためのリストバンド４１としての使用が可能で、手首Ｗに掛け回すことができる。
【００３９】
図９は、熱活性ラベル４０を植木用ラベル４２として使用する場合の平面図、図１０は、同、縦断面図であって、プリント領域３２の端部をラベル基材９の他の端部（やや中央より）に貼り付けることにより、植木の枝Ｂに掛け回し、必要な情報を表示することができる。
【００４０】
図１１は、本発明の第３の実施例による熱活性ラベル４５の平面図であって、熱活性ラベル４５においては、プリント領域３２および粘着剤領域３３が、その移送方向に並んでこれを形成するようにしている。
こうした構成の熱活性ラベル４５においては、熱活性ラベル３１（図２）と同様に、熱活性ラベル４５のみで、プリント領域３２を平面から立ち上げて立体的な価格表示や広告表示が可能である。
すなわち図１２は、熱活性ラベル４５を商品Ｍに貼り付けた状態の側面図であり、粘着剤領域３３を商品Ｍの表面に平面的に貼り付け、境界線３７の部分でプリント領域３２を折り曲げて粘着剤領域３３から所定の傾斜角度に立ち上げ、これを立体的に表示することにより販売促進効果を期待することができる。
【００４１】
図１３は、本発明の第４の実施例による熱活性ラベル４６の平面図であって、熱活性ラベル４６においては、プリント領域３２を挟んで一対の粘着剤領域３３をその移送方向上流側および下流側に位置させて形成するようにしている。
こうした構成の熱活性ラベル４６においては、一対の粘着剤領域３３を互いに近接して貼り付け、プリント領域３２部分を断面円形状ないし楕円状に折り曲げるような立体的な価格表示あるいは広告表示が可能である。
すなわち、図１４は、熱活性ラベル４６を商品Ｍに貼り付けた状態の側面図であって、一対の粘着剤領域３３を貼り付け、プリント領域３２を断面円形状ないし楕円状に折り曲げるように立体的に表示し、顧客に対するアピール度を増して、販売促進効果を期待することができる。
【００４２】
図１５は、本発明の第５の実施例による熱活性ラベル５０の平面図であって、熱活性ラベル５０においては、プリント領域３２を挟んで一対の粘着剤領域３３をその移送方向の両側部に位置させて形成するようにしている。すなわち、粘着剤領域３３は、プリント領域３２をその両側から挟むように二ヶ所に分かれている。
こうした構成の熱活性ラベル５０は、第４の実施例による熱活性ラベル４６（図１３、図１４）と同様に、プリント領域３２を断面円形状などとして立体的に所定の情報を表示可能であるとともに、他の販売促進シート５１、５２の連結ないし結合用シートとしても活用することができる。
すなわち、図１６は、熱活性ラベル５０を販売促進シート５１、５２に貼り付けた状態の平面図であって、一対の粘着剤領域３３を販売促進シート５１、５２の下端部および上端部にそれぞれ貼り付け、この販売促進シート５１、５２を連結して、より大きなシートとするとともに、熱活性ラベル５０のプリント領域３２への印字表示に加えて、各種のパターンによる広告表示が可能である。
【００４３】
図１７は、本発明（第二の発明）による熱活性ラベル用プリンター６０の概略側面図であって、熱活性ラベル用プリンター６０は、粘着剤領域３３がプリント領域３２をその移送方向両側から挟むように二ヶ所に分かれている熱活性ラベル５０（図１５）などの場合に好適なサーマルプリンターである。
具体的に、熱活性ラベル用プリンター６０は、印字部４の下流側に従来の前記熱活性部５（図２３）に相当する熱活性部６１を有するもので、たとえば熱活性ラベル５０のプリント領域３２においてサーマルプリントを行うためのサーマルヘッド１４（プリント用ヘッド）と、粘着剤領域３３（熱活性粘着剤）を熱活性化させるための熱活性部６１における粘着剤熱活性用ヘッド１９と、をともに、ラベル基材９の表面側に設けている。粘着剤熱活性用ヘッド１９の対向部材である挟時ローラー２０は、プラテンローラー１５とともに熱活性ラベル５０の裏面側に位置している。
【００４４】
図１８は、熱活性ラベル用プリンター６０の概略平面図であって、粘着剤熱活性用ヘッド１９は、熱活性ラベル５０の粘着剤領域３３に対応して幅方向左右一対のヘッドとして一対の発熱プレート２１を配置してある。
【００４５】
こうした構成の熱活性ラベル用プリンター６０においては、サーマルヘッド１４の対向部材であるプラテンローラー１５がラベル基材９の裏面側に位置し、粘着剤熱活性用ヘッド１９の対向部材である挟時ローラー２０が同じくラベル基材９の裏面側に位置することになって、ともに発熱部材であるサーマルヘッド１４および粘着剤熱活性用ヘッド１９をラベル基材９の一面（表面）側に配置することができ、制御部７からのサーマルヘッド１４および粘着剤熱活性用ヘッド１９への配線を簡略化可能であるとともに、設計の自由度を増すことができる。
さらに、粘着剤領域３３部分を移送方向所定長さにわたって加熱しつづける必要がある粘着剤熱活性用ヘッド１９をプリント用のサーマルヘッド１４から分離したので、それぞれの制御および保守点検を分離することができるとともに、制御部７における制御をより単純化可能である。
【００４６】
本発明による熱活性ラベルにおいては、プリント領域３２および粘着剤領域３３は、それぞれ任意の配置ないしデザインにより所定パターンをもって、ラベル基材９の表面にそれぞれ所定割合で分離ないし分散していることができる。
【００４７】
たとえば、図１９は、本発明の第６の実施例による熱活性ラベル７０の平面図であって、熱活性ラベル７０においては、一対の粘着剤領域３３を小円状にラベル基材９の表面側に設けるとともに、その他のプリント領域３２を粘着剤領域３３からは分離して設けている。また、プリント領域３２の粘着剤領域３３側の縁部を前記境界線３７（図２、図６）として、この境界線３７部分から折り曲げ可能とすることもできる。
【００４８】
こうした構成の熱活性ラベル７０においても、熱活性ラベル３１（図２）などと同様に、活性化した粘着剤領域３３を価格表示タグ３５（図４）などに貼り付け、図５や図６に示したと同様の態様で値下げ用ラベル３４などとして使用することができる。
【００４９】
図２０は、本発明の第７の実施例による熱活性ラベル７５の平面図であって、熱活性ラベル７５においては、ラベル基材９の表面のほとんどを占めるプリント領域３２の中に二対の粘着剤領域３３を細い棒状にラベル基材９の表面側に相対向するように分散して設けている。
【００５０】
図２１は、本発明の第８の実施例による熱活性ラベル８０の平面図であって、熱活性ラベル８０においては、プリント領域３２および粘着剤領域は、ともに微小な点状にこれを形成するとともに、ラベル基材９の表面側にそれぞれ所定の割合で、好ましくはプリント領域３２の割合の方を多くして互いに分散してこれを設けている。
【００５１】
図２２は、熱活性ラベル７５（図２０）や熱活性ラベル８０（図２１）などの使用態様を示す側面図であって、透明なガラス８１（ないし容器）の裏面側から粘着剤領域３３により熱活性ラベル７５あるいは熱活性ラベル８０を貼り付け、透明なガラス８１を通してプリント領域３２の印字表示部分を表示することができる。したがって、従来とは異なった形態での広告表示を透明なガラス８１の裏面に行うことができる。
もちろん、既述したどの実施例における熱活性ラベル３１（図２）、４０（図７）、４５（図１１）、４６（図１３）、５０（図１５）、７０（図１９）、７５（図２０）、８０（図２１）も、プリント領域３２および粘着剤領域３３を同一表面上に有するものであるので、同様な表示および貼付け機能を有するものである。
【図面の簡単な説明】
【００５２】
【図１】本発明（第一の発明）の第１の実施例による熱活性ラベル３１を装填する熱活性ラベル用プリンター３０の概略側面図である。
【図２】同、熱活性ラベル３１の平面図である。
【図３】同、熱活性ラベル３１の縦断面図である。
【図４】同、値下げ用ラベル３４の使用状態を示す平面図である。
【図５】同、値下げ用ラベル３４の使用状態を示す側面図である。
【図６】同、値下げ用ラベル３４の価格表示タグ３５への別の貼付け方法を示す側面図である。
【図７】本発明の第２の実施例による熱活性ラベル４０の平面図である。
【図８】同、熱活性ラベル４０をリストバンド４１として使用する場合の縦断面図である。
【図９】同、熱活性ラベル４０を植木用ラベル４２として使用する場合の平面図である。
【図１０】同、縦断面図である。
【図１１】本発明の第３の実施例による熱活性ラベル４５の平面図である。
【図１２】同、熱活性ラベル４５を商品Ｍに貼り付けた状態の側面図である。
【図１３】本発明の第４の実施例による熱活性ラベル４６の平面図である。
【図１４】同、熱活性ラベル４６を商品Ｍに貼り付けた状態の側面図である。
【図１５】本発明の第５の実施例による熱活性ラベル５０の平面図である。
【図１６】同、熱活性ラベル５０を販売促進シート５１、５２に貼り付けた状態の平面図である。
【図１７】本発明（第二の発明）による熱活性ラベル用プリンター６０の概略側面図である。
【図１８】同、概略平面図である。
【図１９】本発明の第６の実施例による熱活性ラベル７０の平面図である。
【図２０】本発明の第７の実施例による熱活性ラベル７５の平面図である。
【図２１】本発明の第８の実施例による熱活性ラベル８０の平面図である。
【図２２】同、熱活性ラベル７５（図２０）や熱活性ラベル８０（図２１）などの使用態様を示す側面図である。
【図２３】従来の熱活性ラベル用プリンター１の概略側面図である。
【図２４】同、熱活性ラベル８の平面図である。
【図２５】同、熱活性ラベル８の縦断面図である。
【図２６】同、他のタイプの熱活性ラベル１７の縦断面図である。
【符号の説明】
【００５３】
１  熱活性ラベル用プリンター（従来、図２３）
２  用紙供給部
３  検出部
４  印字部
５  熱活性部
６  切断部
７  制御部
８  熱活性ラベル
９  ラベル基材
１０  熱発色剤層
１１  熱活性粘着剤層
１２  位置センサー
１３  位置検出用マーク
１４  サーマルヘッド
１５  プラテンローラー
１６  サーマルヘッド１４の発熱素子
１７  熱活性ラベル（図２６）
１８  熱転写リボン
１９  粘着剤熱活性用ヘッド（サーマルヘッド）
２０  挟時ローラー
２１  発熱プレート
２２  切断刃
３０  熱活性ラベル用プリンター（図１）
３１  熱活性ラベル（第一の発明、第１の実施例、図２）
３２  プリント領域
３３  粘着剤領域
３４  値下げ用ラベル（図４）
３５  価格表示タグ（価格表示下げ札）
３６  価格表示タグ３５の表示価格
３７  プリント領域３２と粘着剤領域３３との間の境界線
４０  熱活性ラベル（第２の実施例、図７）
４１  リストバンド（図８）
４２  植木用ラベル（図９）
４５  熱活性ラベル（第３の実施例、図１１）
４６  熱活性ラベル（第４の実施例、図１３）
５０  熱活性ラベル（第５の実施例、図１５）
５１  販売促進シート（図１６）
５２  販売促進シート
６０  熱活性ラベル用プリンター（第二の発明、図１７）
６１  熱活性部
７０  熱活性ラベル（第６の実施例、図１９）
７５  熱活性ラベル（第７の実施例、図２０）
８０  熱活性ラベル（第８の実施例、図２１）
８１  透明なガラス（ないし容器、図２２）
Ｗ    手首（図８）
Ｂ    植木の枝（図１０）
Ｍ    商品（図１２、図１３）
【図１】
2008152172.tif 000003
【図２】
2008152172.tif 000004
【図３】
2008152172.tif 000005
【図４】
2008152172.tif 000006
【図５】
2008152172.tif 000007
【図６】
2008152172.tif 000008
【図７】
2008152172.tif 000009
【図８】
2008152172.tif 000010
【図９】
2008152172.tif 000011
【図１０】
2008152172.tif 000012
【図１１】
2008152172.tif 000013
【図１２】
2008152172.tif 000014
【図１３】
2008152172.tif 000015
【図１４】
2008152172.tif 000016
【図１５】
2008152172.tif 000017
【図１６】
2008152172.tif 000018
【図１７】
2008152172.tif 000019
【図１８】
2008152172.tif 000020
【図１９】
2008152172.tif 000021
【図２０】
2008152172.tif 000022
【図２１】
2008152172.tif 000023
【図２２】
2008152172.tif 000024
【図２３】
2008152172.tif 000025
【図２４】
2008152172.tif 000026
【図２５】
2008152172.tif 000027
【図２６】
2008152172.tif 000028